(57)【要約】【目的】デジタル放送非対応のビデオデッキを用いてデジタル放送を録画、視聴するにはデジタル放送をアナログ放送に変換するアダプタ機能を持ったチューナが必要であるが本発明により、変換アダプタが無くとも可能とする。【構成】デジタル放送受信装置において、放送局毎に異なるユニーク信号を発生するユニーク信号発生部と、全放送局に関する変調波を合成する変調部と、ビデオデッキに出力するＲＦ出力部と、利用者の選局情報を得る放送局判定部からなり、選局された放送局のデジタル放送波のみをアナログ放送波に変換することを特徴とする選局情報検出装置とする。【選択図】図２
2009170982.tif 000002
【特許請求の範囲】
【請求項１】
デジタル放送チューナとデジタル放送チューナを内蔵していないビデオデッキを接続してデジタル放送を視聴するデジタル放送受信装置において、
アンテナから伝送される信号を受け取るデジタル放送受信部と、
放送局毎に異なるユニーク信号を発生するユニーク信号発生部と、
前記ユニーク信号発生部が生成するユニーク信号を各放送局がアナログ波放送で用いる周波数帯に変調し全放送局に関する変調波を合成する変調部と、
前記変調部による変調波をＲＦ信号としてビデオデッキに送信するＲＦ出力部と、
デジタル放送チューナがビデオデッキから受信する選局中の放送局に関する前記ユニーク信号の変調波と全放送局のユニーク信号の変調波を比較することによって利用者の選局情報を得る放送局判定部からなり、
前記放送局判定部によりビデオデッキから受信するユニーク信号に一致する前記変調信号に対応する放送局を選局された放送局とし、該放送局のデジタル放送波のみをアナログ放送波に変換することを特徴とする選局情報検出装置。
【請求項２】
デジタル放送チューナとデジタル放送チューナを内蔵していないビデオデッキを接続してデジタル放送を視聴するデジタル放送受信装置において、
アンテナから伝送される信号を受け取るデジタル放送受信部と、
選局された放送局のデジタル放送波をアナログ放送波に変換する変調部と、
前記変調部による変調波をＲＦ信号としてビデオデッキに送信するＲＦ出力部と、
デジタル放送チューナがビデオデッキから受信するアナログ波放送信号と前記変調部による変調信号を比較することによって利用者の選局が変更されたか否かを判定する放送局判定部からなり、
前記放送局判定部による比較の結果、前記２つの信号が異なれば利用者が選局を変更したと判断することを特徴とする選局情報検出装置。
【発明の詳細な説明】
【技術分野】
【０００１】
本発明は、地上デジタル放送を受信するデジタル放送受信装置に関し、特に地上デジタル放送受信装置を持たないビデオデッキを接続した際の視聴手段に関する。
【背景技術】
【０００２】
近年、従来のアナログ放送に変わって、地上波、衛星波、ケーブルを介したデジタル放送が登場しており、将来においては国の政策によりアナログ放送が停波し、デジタル放送に全面移行する方向で進んでいる。
【０００３】
このためアナログ放送のみに対応している従来型テレビ受像機は、新たにチューナを導入しなければアナログＢＳ放送も含めて一切のテレビ放送が視聴出来なくなる。
【０００４】
図１はデジタル放送チューナをビデオデッキに接続した構成図である。アンテナ１０１によって受信したデジタル放送波をデジタル放送チューナ１０３により受信し、ビデオデッキ１０５に伝送し、テレビモニター１０７で視聴する。この時、ビデオデッキがデジタル放送チューナ内蔵のものであれば、デジタル放送チューナがビデオデッキに伝送する信号は放送波のままでよいが、ビデオデッキがデジタル放送チューナを内蔵していない場合は、１０３においてアナログ波放送の周波数に変換する作業が生じる。
【０００５】
デジタル放送チューナの技術は比較的古いものであるが、技術的課題として、例えばアナログ波とデジタル波が混在する際のチューナにおける同期手段について特許文献１に記載されている。また、デジタル放送信号をアナログ放送信号に高精度に再変調する手段が特許文献２に記載されている。
【０００６】
【特許文献１】特開２００３−６９９０７号公報
【特許文献２】特開２００３−３０４４６１号公報
【発明の開示】
【発明が解決しようとする課題】
【０００７】
現状ではデジタル放送非対応のビデオデッキを用いてデジタル放送を録画、視聴するにはデジタル放送をアナログ放送に変換するアダプタ機能を持ったチューナが必要である。これは一般的に普及しているものであるが、ビデオデッキのユーザーが希望する放送局に関わらず、チューナ内において全局の信号変換を行い、変換した信号をビデオデッキに伝送する手段のみであった。
【０００８】
つまりアナログ放送波に変換するアダプタ機能を持ったデジタル放送チューナ１０３は、全局のデジタル放送波を受信し、復調し、アナログ放送波に再変調し、ビデオデッキ１０５に送信していた。このためデジタル放送波をアナログ放送波に変換するアダプタは小型化及び低消費電力化が困難であり、低価格化の妨げになっていた。
【０００９】
本発明では、チューナからビデオデッキへの片方向通信ではなく、ビデオデッキからチューナへの通信を付加することにより、チューナが行うデジタル放送波からアナログ放送波への変換を必要な局のみにすることを実現するものである。
【課題を解決するための手段】
【００１０】
前記課題を解決するために本発明は、デジタル放送チューナとデジタル放送チューナを内蔵していないビデオデッキを接続してデジタル放送を視聴するデジタル放送受信装置において、
アンテナから伝送される信号を受け取るデジタル放送受信部と、
放送局毎に異なるユニーク信号を発生するユニーク信号発生部と、
前記ユニーク信号発生部が生成するユニーク信号を各放送局がアナログ波放送で用いる周波数帯に変調し全放送局に関する変調波を合成する変調部と、
前記変調部による変調波をＲＦ信号としてビデオデッキに送信するＲＦ出力部と、
デジタル放送チューナがビデオデッキから受信する選局中の放送局に関する前記ユニーク信号の変調波と全放送局のユニーク信号の変調波を比較することによって利用者の選局情報を得る放送局判定部からなり、
前記放送局判定部によりビデオデッキから受信するユニーク信号に一致する前記変調信号に対応する放送局を選局された放送局とし、該放送局のデジタル放送波のみをアナログ放送波に変換することを特徴とする選局情報検出装置とする。
【００１１】
また、本発明は、デジタル放送チューナとデジタル放送チューナを内蔵していないビデオデッキを接続してデジタル放送を視聴するデジタル放送受信装置において、
アンテナから伝送される信号を受け取るデジタル放送受信部と、
選局された放送局のデジタル放送波をアナログ放送波に変換する変調部と、
前記変調部による変調波をＲＦ信号としてビデオデッキに送信するＲＦ出力部と、
デジタル放送チューナがビデオデッキから受信するアナログ波放送信号と前記変調部による変調信号を比較することによって利用者の選局が変更されたか否かを判定する放送局判定部からなり、
前記放送局判定部による比較の結果、前記２つの信号が異なれば利用者が選局を変更したと判断することを特徴とする選局情報検出装置。
【発明の効果】
【００１２】
本発明によれば、アナログ放送波に変換するアダプタ機能を持ったデジタル放送チューナは、ビデオデッキの利用者が希望するチャンネルのみのデジタル信号波を復調し、これをアナログ放送波に再変調し、ビデオデッキに再送信することが可能になるため、装置の小型化、低消費電力化、低価格化が可能となる。
【実施例】
【００１３】
本発明の好適な実施例について、図を用いて説明する。
【００１４】
図２は本発明にかかるデジタル放送の受信システムの構成図である。デジタル放送受信部２０１にはアンテナにより受信された各放送局のデジタル放送波信号が到来している。
【００１５】
ユニーク信号発生部２０３は、各放送局のチャンネル番号毎にあらかじめ定めたユニークな信号を発生させるものであり、デジタル放送受信部２０１とユニーク信号発生部２０３のいずれかをスイッチ２０５にて選択し、変調部２０７にて変調する。
【００１６】
スイッチ２０５がユニーク信号発生部２０３を選択している時の処理構成図を図３に示す。
【００１７】
放送局毎のチャンネル番号３０１に応じて予め設定した任意のユニーク信号３０３を、同局がアナログ放送において用いている周波数で変調部３０５において変調し、ＲＦ出力部３０７から、全放送局の変調結果の合成信号をビデオデッキへ出力する。ここで、ユニーク信号３０３は桁数や信号の内容などは、放送局を識別できるものであれば特に問わない。
【００１８】
このようにビデオデッキ２１１には各放送局毎のユニークな信号が合成されて到来しているが、利用者がビデオデッキの選局装置を操作して選局を行うと、選択された放送局のユニーク信号のみをビデオデッキのビデオ出力を介して、デジタル放送チューナ２１５のビデオ入力端子に再送信する。これを選局情報信号とする。
【００１９】
デジタル放送チューナ２１５のビデオ入力端子から入力された選局情報信号は放送局判定部２１３に伝送される。放送局判定部２１３では、デジタル放送チューナからビデオデッキに向けて送信された各放送局のユニーク信号と、ビデオデッキからデジタル放送チューナに向けて送信された選局情報信号の比較検索を行う。
【００２０】
放送局判定部に関して図４に示す。デジタル放送チューナからビデオデッキに向けて送信されている各放送局に対応した変調後のユニーク信号４０１と、ビデオデッキの利用者が選局した放送局に関する選局情報信号４０５が放送局判定部４０３に入力される。放送局判定部はこれら信号を元に、４０１の信号群の中から４０５に一致するユニーク信号列を判定する。
【００２１】
なお、放送局判定部が用いる信号は変調後のユニーク信号に限定しない。つまり、図３の３０３の状態における信号を用いた場合、復調部により復調された選局情報信号を用いれば同等な処理が可能である。
【００２２】
放送局判定部２１３によってビデオデッキの利用者による選局された放送局を判定できたら、スイッチ２０５はデジタル放送受信部２０１と接続される。従来技術ではデジタル放送チューナにおけるアナログ放送波へのコンバータは全放送局に関して行われていたが、本発明によって利用者の選局情報が既知のものとなるため、スイッチ２０５がデジタル放送受信部２０１と接続されると、変調部２０７は、該選択放送局に関する放送波のみをアナログ放送波信号に変調し、再送信すればよい。
【００２３】
前記のように、選局された放送局に関するデジタル放送波のみがアナログ放送波としてＲＦ出力部２０９からビデオデッキに出力されるため、デジタル放送波チューナを搭載していないビデオデッキの利用者でも、選局した放送局のデジタル放送を、アナログ放送波として視聴することが可能となる。
【００２４】
次に、ビデオデッキの利用者が選択放送局の変更を番組視聴中に行った場合について説明する。
【００２５】
ビデオデッキからデジタル放送チューナのビデオ入力への信号伝達は、放送視聴中においても常時なされ、これを視聴情報信号とする。放送局判定部にはビデオデッキに再送信している再送信放送信号と視聴情報信号が入力されている。
【００２６】
しかるに、利用者がビデオデッキの選局装置を操作して放送局を変更した場合、その時点では新たに選局された放送局の放送波がビデオデッキには到来していないため、テレビモニターに映像が映らなくなる。つまり放送局判定部において、再送信放送信号と視聴情報信号に差異が生じる。
【００２７】
このように再送信放送信号と視聴情報信号に差異が生じたら、再びスイッチ２０５をユニーク信号発生部に切り換え、利用者の選局情報を得る段階に戻り、選局された放送局が判定されたら該当する放送局の放送を再送信する。
【００２８】
図５に前述した一連の処理フローを示す。まず放送局判定を行う。放送局判定はビデオデッキが送信する選局情報信号とユニーク信号を比較し、一致するユニーク信号に対応する放送局を選択された放送局と決定する。次に、選択された放送局のデジタル放送波をアナログ放送波に変換し、デジタル放送チューナのＲＦ出力部からビデオデッキに向けて出力することによって、利用者は希望する放送局のデジタル放送をアナログ放送として視聴する。
【００２９】
この間、放送局判定部には、視聴情報信号と再送信信号が入力されており、利用者が選局を変更して視聴情報信号と再送信信号の一致に変化が生じたかどうかを常にモニタリングしている。変化した場合には、再び放送局判定に戻り、変化していない場合は処理を継続する。
【００３０】
なお、前述したように、ユニーク信号は本実施例で示したものに限らず、例えば図６に示すように、放送波を用いてもよい。図６は放送局判定部が放送波そのものを用いている概略図である。つまり、受信したデジタル放送波を１放送局ずつアナログ放送波に変換し、該信号をＲＦ出力部からビデオデッキに伝送し、利用者が選局した放送局の周波数に該当するＲＦｉｎ信号をビデオデッキのビデオ出力から出力し、該ビデオ出力と変換された前記アナログ放送波のそれぞれの信号を比較することによって、利用者の選局した放送局を知ることができる。
【００３１】
また、前記放送波を用いる場合、及びユニーク信号として予め定義した符号列を用いる場合のいずれにおいても、全放送局分を合成してビデオデッキに送る手段に限るものではなく、各放送局に対応する信号を１放送局ずつビデオデッキに送信しても同様な結果を得ることが出来、その場合さらなる回路の小型化、低消費電力化が可能となる。
【００３２】
本実施例により、デジタル放送チューナを内蔵していないビデオデッキを用いて、利用者がデジタル放送をアナログ放送として視聴することが可能となる。その際、従来技術とは違い、デジタル放送チューナは利用者の選局情報を得ることができるため、必要な放送局に関するデジタル放送波のみをアナログ放送に変換すればよく、低価格化、小型化に寄与できる。
【図面の簡単な説明】
【００３３】
【図１】一般的なデジタル放送受信形態
【図２】本発明にかかるデジタル放送チューナ
【図３】ユニーク信号の生成手段
【図４】選局を得るための放送局判定部への入力信号図
【図５】全体の処理フローチャート
【図６】放送局毎にユニーク信号を伝送する例
【符号の説明】
【００３４】
１０１…アンテナ、  １０３…デジタル放送チューナ、
１０５…デジタルビデオデッキ、  １０７…テレビ、
２０１…デジタル放送受信部、  ２０３…ユニーク信号発生部、
２０５…スイッチ、  ２０７…変調部、  ２０９…ＲＦ出力部、
２１１…ビデオデッキ、  ２１３…放送局判定部、
２１５…デジタル放送チューナ、
３０１…放送局、  ３０３…ユニーク信号列、  
３０５…ユニーク信号列の変調、  ３０７…ＲＦ出力部、
４０１…ユニーク信号、  ４０３…放送局判定部、
４０５…選局情報信号
【図１】
2009170982.tif 000003
【図２】
2009170982.tif 000004
【図３】
2009170982.tif 000005
【図４】
2009170982.tif 000006
【図５】
2009170982.tif 000007
【図６】
2009170982.tif 000008